(57)【要約】【課題】  高速シーク動作時に光ピックアップ装置の対物レンズの不要な振動の発生を抑制して、高速シーク動作時に光ピックアップ装置を安定した高速スレッド移動させて高速シーク動作を低コストで実現することができるようにする。【解決手段】  対物レンズが上面に固着されたレンズホルダの下面に突起部を突設し、レンズホルダが押下されたとき突起部が嵌挿されるようにアクチュエータベースの上面に固定用穴部を設け、高速シーク動作時に、フォーカスコイルに所定の直流電圧を印加して、レンズホルダをアクチュエータベースに押下し、レンズホルダに設けられた突起部をアクチュエータベースの固定用穴部に嵌挿させて、レンズホルダをアクチュエータベースに固定するようにする。【選択図】        図１
2006318605.tif 000002
【特許請求の範囲】
【請求項１】
光ディスクに情報信号を記録再生する光ピックアップ装置であって、
対物レンズが上面に固着され、巻回されたフォーカスコイルが側面に固着され、先端部が半球形の略円筒状又は略円錐状に形成された突起部が下面に突設されたレンズホルダと、前記レンズホルダを摺動自在に支持する摺動軸が突設され、マグネットが固着されたヨークが突設され、前記レンズホルダが押下されたとき前記突起部が嵌挿される固定用穴部が上面に設けられたアクチュエータベースと、前記アクチュエータベースを光ディスクの半径方向にスレッド移動させるベースとを備え、
高速シーク動作時に、フォーカスサーボ、トラッキングサーボをＯＦＦして、前記フォーカスコイルに所定の直流電圧を印加して、前記レンズホルダを前記アクチュエータベースに押下し、前記レンズホルダに設けられた突起部を前記アクチュエータベースの固定用穴部に嵌挿させて、前記レンズホルダを前記アクチュエータベースに固定し、光ピックアップ装置を光ディスクの半径方向に高速スレッド移動させるようにしたことを特徴とする光ピックアップ装置。
【請求項２】
光ディスクに情報信号を記録再生する光ピックアップ装置であって、
対物レンズが上面に固着され、巻回されたフォーカスコイルが側面に固着され、突起部が下面に突設されたレンズホルダと、前記レンズホルダを摺動自在に支持する摺動軸が突設され、マグネットが固着されたヨークが突設され、前記レンズホルダが押下されたとき前記突起部が嵌挿される固定用穴部が上面に設けられたアクチュエータベースと、前記アクチュエータベースを光ディスクの半径方向にスレッド移動させるベースとを備え、
高速シーク動作時に、フォーカスサーボ、トラッキングサーボをＯＦＦして、前記フォーカスコイルに所定の直流電圧を印加して、前記レンズホルダを前記アクチュエータベースに押下し、前記レンズホルダに設けられた突起部を前記アクチュエータベースの固定用穴部に嵌挿させて、前記レンズホルダを前記アクチュエータベースに固定し、光ピックアップ装置を光ディスクの半径方向に高速スレッド移動させるようにしたことを特徴とする光ピックアップ装置。
【請求項３】
前記レンズホルダの下面に突設された突起部は、先端部が半球形の略円筒状に形成されていることを特徴とする請求項２記載の光ピックアップ装置。
【請求項４】
前記レンズホルダの下面に突設された突起部は、略円錐状に形成されていることを特徴とする請求項２記載の光ピックアップ装置。
【発明の詳細な説明】
【技術分野】
【０００１】
本発明は、光ディスクに情報信号を記録再生する光ピックアップ装置に係り、特に高速シーク動作時に光ピックアップ装置の対物レンズの不要な振動の発生を抑制することができる光ピックアップ装置に関する。
【背景技術】
【０００２】
一般に、光ディスクに情報信号を記録再生する光ピックアップ装置を高速シーク動作させて、光ディスクに情報信号を記録再生することができるようになっている。しかし、光ピックアップ装置を高速シーク動作させると、高速スレッド移動に伴う慣性により対物レンズに不要な振動が発生するため、高速シーク動作時に光ピックアップ装置を安定した高速スレッド移動させて高速シーク動作させることができず、高速シーク動作後の次の動作に速やかに移行させることができないという問題点があった。
背景技術としては、リードスクリュ軸のネジピッチに合わせて２個の歯部を平行に備えたラックのリードスクリュ軸に接する部分にリードスクリュ軸の溝に点接触で噛み合う歯を持つ歯部を設け、歯部にスプリングによりリードスクリュ軸の溝に適当な予圧が働くようにしたものがあった（例えば、特許文献１参照）。
また、光ピックアップ装置上に配置されたベースプレート上に配設された駆動用磁気回路とベースプレートとの間に駆動用磁気回路の信号を吸収する粘弾性体を介在させたものがあった（例えば、特許文献２参照）。
また、光ピックアップ装置を案内する主軸と副軸のそれぞれを両側で支持する支持部の片側又は両側にバネと振動吸収ゴムとを直列又は並列に配置してそれぞれの軸を押圧するようにしたものがあった（例えば、特許文献３参照）。
【特許文献１】特開２０００−２１５６２５号公報
【特許文献２】特開平５−６２２２８号公報
【特許文献３】特開２００２−１００１２９号公報
【発明の開示】
【発明が解決しようとする課題】
【０００３】
しかしながら、背景技術で述べたもののうち最初のものにおいては、リードスクリュ軸のネジピッチに合わせて２個の歯部を平行に備えたラックのリードスクリュ軸に接する部分にリードスクリュ軸の溝に点接触で噛み合う歯を持つ歯部を設け、歯部にスプリングによりリードスクリュ軸の溝に適当な予圧を働かせるようにすることができたが、リードスクリュ軸の溝に予圧を働かせるスプリングを歯部に設けなればならなかった。
また、次のものにおいては、光ピックアップ装置上に配置されたベースプレート上に配設された駆動用磁気回路とベースプレートとの間に介在された粘弾性体により駆動用磁気回路の信号を吸収させることができたが、駆動用磁気回路とベースプレートとの間に粘弾性体を介在させなければならなかった。
また、更にその次のものにおいては、光ピックアップ装置を案内する主軸と副軸のそれぞれを両側で支持する支持部の片側又は両側にバネと振動吸収ゴムとを直列又は並列に配置してそれぞれの軸を押圧することができたが、光ピックアップ装置を案内する主軸と副軸のそれぞれを両側で支持する支持部の片側又は両側にバネと振動吸収ゴムとを設ける必要があった。
本発明は、背景技術の有するこのような問題点に鑑みてなされたものであり、その目的とするところは、高速シーク動作時に光ピックアップ装置の対物レンズの不要な振動の発生を抑制して、高速シーク動作時に光ピックアップ装置を安定した高速スレッド移動させて高速シーク動作を低コストで実現することができる光ピックアップ装置を提供しようとするものである。
【課題を解決するための手段】
【０００４】
上記目的を達成するため本発明においては、光ディスクに情報信号を記録再生する光ピックアップ装置であって、対物レンズが上面に固着され、巻回されたフォーカスコイルが側面に固着され、突起部が下面に突設されたレンズホルダと、前記レンズホルダを摺動自在に支持する摺動軸が突設され、マグネットが固着されたヨークが突設され、前記レンズホルダが押下されたとき前記突起部が嵌挿される固定用穴部が上面に設けられたアクチュエータベースと、前記アクチュエータベースを光ディスクの半径方向にスレッド移動させるベースとを備え、高速シーク動作時に、フォーカスサーボ、トラッキングサーボをＯＦＦして、前記フォーカスコイルに所定の直流電圧を印加して、前記レンズホルダを前記アクチュエータベースに押下し、前記レンズホルダに設けられた突起部を前記アクチュエータベースの固定用穴部に嵌挿させて、前記レンズホルダを前記アクチュエータベースに固定し、光ピックアップ装置を光ディスクの半径方向に高速スレッド移動させるようにする。
前記レンズホルダの下面に突設された突起部は、先端部が半球形の略円筒状に形成するとよい。
また、前記レンズホルダの下面に突設された突起部は、略円錐状に形成するとよい。
これらの手段により、高速シーク動作時に光ピックアップ装置の対物レンズの不要な振動の発生を抑制して、高速シーク動作時に光ピックアップ装置を安定した高速スレッド移動させて高速シーク動作を低コストで実現することができる。
【発明の効果】
【０００５】
請求項１記載の発明に係る光ピックアップ装置によれば、対物レンズが上面に固着され、巻回されたフォーカスコイルが側面に固着され、先端部が半球形の略円筒状又は略円錐状に形成された突起部が下面に突設されたレンズホルダと、レンズホルダを摺動自在に支持する摺動軸が突設され、マグネットが固着されたヨークが突設され、レンズホルダが押下されたとき突起部が嵌挿される固定用穴部が上面に設けられたアクチュエータベースと、アクチュエータベースを光ディスクの半径方向にスレッド移動させるベースとを備え、高速シーク動作時に、フォーカスサーボ、トラッキングサーボをＯＦＦして、フォーカスコイルに所定の直流電圧を印加して、レンズホルダをアクチュエータベースに押下し、レンズホルダに設けられた突起部をアクチュエータベースの固定用穴部に嵌挿させて、レンズホルダをアクチュエータベースに固定し、光ピックアップ装置を光ディスクの半径方向に高速スレッド移動させるようにしているので、高速シーク動作時に光ピックアップ装置の対物レンズの不要な振動の発生を抑制して、高速シーク動作時に光ピックアップ装置を安定した高速スレッド移動させて高速シーク動作を低コストで実現することができる。
請求項２記載の発明に係る光ピックアップ装置によれば、対物レンズが上面に固着され、巻回されたフォーカスコイルが側面に固着され、突起部が下面に突設されたレンズホルダと、レンズホルダを摺動自在に支持する摺動軸が突設され、マグネットが固着されたヨークが突設され、レンズホルダが押下されたとき突起部が嵌挿される固定用穴部が上面に設けられたアクチュエータベースと、アクチュエータベースを光ディスクの半径方向にスレッド移動させるベースとを備え、高速シーク動作時に、フォーカスサーボ、トラッキングサーボをＯＦＦして、フォーカスコイルに所定の直流電圧を印加して、レンズホルダをアクチュエータベースに押下し、レンズホルダに設けられた突起部をアクチュエータベースの固定用穴部に嵌挿させて、レンズホルダをアクチュエータベースに固定し、光ピックアップ装置を光ディスクの半径方向に高速スレッド移動させるようにしているので、高速シーク動作時に光ピックアップ装置の対物レンズの不要な振動の発生を抑制して、高速シーク動作時に光ピックアップ装置を安定した高速スレッド移動させて高速シーク動作を低コストで実現することができる。
請求項３記載の発明に係る光ピックアップ装置によれば、レンズホルダの下面に突設された突起部を先端部が半球形の略円筒状に形成しているので、レンズホルダの下面に突設された突起部が先端の半球形にガイドされてアクチュエータベースの固定用穴部に容易に嵌挿され、レンズホルダをアクチュエータベースに固定することができる。
請求項４記載の発明に係る光ピックアップ装置によれば、レンズホルダの下面に突設された突起部を略円錐状に形成しているので、レンズホルダの下面に突設された突起部が円錐状側面にガイドされてアクチュエータベースの固定用穴部に容易に嵌挿され、レンズホルダをアクチュエータベースに確実に固定することができる。
【発明を実施するための最良の形態】
【０００６】
以下、適宜図面を参照しながら本発明を実施するための最良の形態を詳述する。図１は本発明の一実施例の光ピックアップ装置を示す縦断面図であり、図２は本発明の一実施例の光ピックアップ装置の動作を示すフローチャートであり、図３は本発明の一実施例の他の光ピックアップ装置を示す縦断面図である。
まず、図１の本発明の一実施例の光ピックアップ装置を示す縦断面図を基に説明する。
光ピックアップ装置１は、対物レンズ８が上面に固着されたレンズホルダ２と、レンズホルダ２を摺動自在に支持する摺動軸９が突設されたアクチュエータベース３と、半導体レーザダイオード、光検出器（いずれも図示せず）が内蔵され、スレッドモータ（図示せず）をパルス駆動してアクチュエータベース３を光ディスク（図示せず）の半径方向にスレッド移動させるベース４とを備えている。レンズホルダ２の側面には、巻回されたフォーカスコイル５とトラッキングコイル（図示せず）とが固着され、レンズホルダ２の側面に固着されたフォーカスコイル５に対向するようにマグネット６が固着されたヨーク７がアクチュエータベース３に突設されていて、フォーカスコイル５、マグネット６、ヨーク７により磁気回路が構成され、フォーカスコイル５にフォーカスサーボ駆動電圧を印加することによりレンズホルダ２を上下動させて、ベース４に内蔵された半導体レーザダイオードから出射されたレーザビームを対物レンズ８により光ディスクの記録面（図示せず）に集光し、その反射光をベース４に内蔵された光検出器により検出して、情報データを光ディスクに記録再生するようになっている。また、レンズホルダ２の下面には先端部が半球形の略円筒状に形成された突起部２ａが突設され、アクチュエータベース３の上面にはレンズホルダ２の下面に突設された突起部２ａが嵌挿されてレンズホルダ２をアクチュエータベース３に固定するための固定用穴部３ａが設けられている。
高速シーク動作を開始すると、フォーカスサーボ、トラッキングサーボがＯＦＦにされ、フォーカスコイル５に所定の直流電圧が印加されて、レンズホルダ２がアクチュエータベース３に押下され、レンズホルダ２の下面に突設された突起部２ａが先端の半球形にガイドされてアクチュエータベース３に設けられた固定用穴部３ａに嵌挿され、レンズホルダ２がアクチュエータベース３に固定され、スレッドモータ（図示せず）が高速パルス駆動されて、光ピックアップ装置１が光ディスク（図示せず）の半径方向に高速スレッド移動される。このことにより、高速シーク動作時にレンズホルダ２がアクチュエータベース３に固定されるので、光ピックアップ装置１の対物レンズ８の不要な振動の発生が抑制されて、高速シーク動作時に光ピックアップ装置１を安定した高速スレッド移動させて高速シーク動作を低コストで実現することができる。なお、光ピックアップ装置１の光ディスクの半径方向の位置は、スレッドモータを駆動するパルス駆動電圧のパルス数により検出されるようになっている。
そして、高速シークが終了すると、フォーカスコイル５に印加されていた直流電圧がＯＦＦにされ、フォーカスサーボ、トラッキングサーボがＯＮにされて、レンズホルダ２がアクチュエータベース３から浮上し、アクチュエータベース３の固定用穴部３ａに嵌挿されて固定されていたレンズホルダ２の固定が解除されて、高速シーク動作後に対物レンズ８の不要な振動を生じることなく通常のフォーカスサーボ制御、トラッキングサーボ制御に速やかに移行させることができ、光ピックアップ装置１により光ディスクに記録された情報データが記録再生することができる。
また、図２の本発明の一実施例の光ピックアップ装置の動作を示すフローチャートを基に説明する。
高速シーク動作が開始されると、ステップＳ１からステップＳ２に進み、ステップＳ２で、フォーカスサーボ、トラッキングサーボがＯＦＦにされ、フォーカスコイルに所定の直流電圧が印加されて、レンズホルダがアクチュエータベースに押下され、レンズホルダの下面に突設された突起部がアクチュエータベースの固定用穴部に挿入されて、レンズホルダがアクチュエータベースに固定され、ステップＳ３に進む。
ステップＳ３で、光ピックアップ装置が光ディスクの半径方向に高速スレッド移動され、ステップＳ４に進む。
ステップＳ４で、高速シークが終了したか否かが判断され、高速シークが終了した場合、ステップＳ５に進み、高速シークが終了していない場合、ステップＳ３に戻って、ステップＳ３からのステップを繰り返す。
ステップＳ５で、フォーカスコイルに印加されていた所定の直流電圧がＯＦＦにされ、フォーカスサーボ、トラッキングサーボがＯＮにされて、レンズホルダがアクチュエータベースから浮上し、アクチュエータベースの固定用穴部に固定されていたレンズホルダの固定が解除され、ステップＳ６に進んで処理を終了する。
また、図３の本発明の一実施例の他の光ピックアップ装置を示す縦断面図を基に説明する。
図３において図１と同一の構成要素に対しては同一の符号を付して、その説明を省略する。図３の光ピックアップ装置１は、レンズホルダ２の下面に突設された突起部２ｂが略円錐状に形成されている点が図１と異なる。また、図３の光ピックアップ装置１の高速シーク時の動作については、図１で説明したものと同様であるので重複する説明は省略する。レンズホルダ２の下面に突設された突起部２ｂが略円錐状に形成されているので、フォーカスコイル５に所定の直流電圧を印加して、レンズホルダ２がアクチュエータベース３に押下されたとき、レンズホルダ２の下面に突設された略円錐状に形成された突起部２ｂが円錐状側面にガイドされてアクチュエータベース３に設けられた固定用穴部３ａに嵌挿され、固定用穴部３ａの上部開口端の周囲に確実に固定される。図１の光ピックアップ装置１の場合のようにレンズホルダ２の先端部が半球形の略円筒状の突起部２ａとアクチュエータベース３の固定用穴部３ａとの嵌合寸法の精度を必要としないので、図３の光ピックアップ装置１は、図１の光ピックアップ装置１より低コストで高速シーク動作時の光ピックアップ装置１の対物レンズ８の不要な振動の発生を抑制することができ、高速シーク動作時に光ピックアップ装置１を安定した高速スレッド移動させて高速シーク動作を実現することができる。
以上、本発明を実施するための最良の形態について詳述したが、本発明はこれに限定されるものではなく、当業者の通常の知識の範囲内でその変形や改良が可能であることはいうまでもない。例えば、高速シーク時にレンズホルダを固定する突起部をレンズホルダに設け、アクチュエータベースに固定用穴部を設けることを説明したが、レンズホルダに固定用穴部を設け、アクチュエータベースに突起部を突設するようにしてもよい。
【図面の簡単な説明】
【０００７】
【図１】本発明の一実施例の光ピックアップ装置を示す縦断面図である。
【図２】本発明の一実施例の光ピックアップ装置の動作を示すフローチャートである。
【図３】本発明の一実施例の他の光ピックアップ装置を示す縦断面図である。
【符号の説明】
【０００８】
１  光ピックアップ装置
２  レンズホルダ
２ａ、２ｂ  突起部
３  アクチュエータベース
３ａ  固定用穴部
４  ベース
５  フォーカスコイル
６  マグネット
７  ヨーク
８  対物レンズ
９  摺動軸
【図１】
2006318605.tif 000003
【図２】
2006318605.tif 000004
【図３】
2006318605.tif 000005